(57)【特許請求の範囲】
【請求項１】
第１の映像信号の符号化データを搬送する第１のストリームを生成する第１の信号生成部と、
前記第１の映像信号のコンテンツの高画質化映像信号である第２の映像信号の符号化データを搬送する第２のストリームを生成する第２の信号生成部と、
前記第１のストリームに第１の制御情報を多重する第１の多重化部と、
前記第２のストリームに第２の制御情報を多重する第２の多重化部と、
前記第１の映像信号と前記第２の映像信号のコピー制御情報を前記第１の制御情報及び又は前記第２の制御情報に追加するコピー制御情報付加部とを備える、ここで前記コピー制御情報は前記第２の映像信号の復号方法に応じて前記第２の映像信号に関するデータの単独のコピー禁止を設定可能としている、
コンテンツ送信装置。
【請求項２】
前記コピー制御情報は、前記第２の映像信号が、前記第１の映像信号をベースとした参照映像信号を利用しないでデコードされる場合は、単独のコピーに関してコピー禁止を示す請求項１記載のコンテンツ送信装置。
【請求項３】
前記コピー制御情報は、前記第２の映像信号が、前記第１の映像信号の符号化データを復号してアップコンバートした映像信号を参照映像信号として利用してデコードされる場合は、１回のコピーを許可している請求項１記載のコンテンツ送信装置。
【請求項４】
前記コピー制御情報は、前記第２の映像信号の符号化データの単独のコピーに関してコピー禁止を示す、請求項１記載のコンテンツ送信装置。
【請求項５】
前記コピー制御情報は、前記第１の制御情報と前記第２の制御情報の両方に含まれている、請求項１記載のコンテンツ送信装置。
【請求項６】
前記コピー制御情報は、前記第２の制御情報に含まれている、請求項１記載のコンテンツ送信装置。
【請求項７】
前記第２の映像信号の符号化データは、前記第１の映像信号の符号化データを復号してアップコンバートした映像信号を参照映像信号として利用して符号化されている請求項１記載のコンテンツ送信装置。
【請求項８】
少なくとも第１の映像信号の符号化データと第１の制御情報とを多重した第１のストリームを受け取り、前記第１の映像信号の復号化を行う第１の信号処理部と、
少なくとも前記第１の映像信号のコンテンツの高画質化映像信号である第２の映像信号の符号化データと第２の制御情報とを多重した第２のストリームを受け取り、前記第２の映像信号の復号化処理を行う第２の信号処理部と、を有し、
ここで、前記第１の制御情報及び又は前記第２の制御情報には前記第１の映像信号と前記第２の映像信号のコピー制御情報が含まれており、前記コピー制御情報は、少なくとも前記第２の映像信号の復号方法に応じて、前記第２の映像信号に関するデータの単独のコピーに関して、コピー禁止を示し、
前記コピー禁止が判定された場合、前記第２の映像信号の単独のコピー禁止を実施するコピー制御情報判定部を有した、
コンテンツ受信装置。
【請求項９】
前記コピー制御情報判定部は、
前記第２の映像信号が、前記第１の映像信号をベースとした参照映像信号を利用しないでデコードされる場合は、単独のコピーに関してコピー禁止を実施する、請求項８記載のコンテンツ受信装置。
【請求項１０】
前記コピー制御情報判定部は、
前記第２の映像信号が、前記第１の映像信号の符号化データを復号してアップコンバートした映像信号を参照映像信号として利用してデコードされる場合は、１回のコピーを許可する、請求項８記載のコンテンツ受信装置。
【請求項１１】
前記コピー制御情報判定部は、
前記第２の映像信号の符号化データの単独のコピーに関してコピー禁止を実施する、請求項８記載のコンテンツ受信装置。
【請求項１２】
映像信号を処理する送信装置のコンテンツ送信方法であって、
第１の映像信号を符号化し符号化データと第１の制御情報とを多重化して第１のストリームを生成し、
前記第１の映像信号のコンテンツの高画質化映像信号である第２の映像信号を符号化した符号化データと第２の制御情報とを多重化して第２のストリームを生成し、
前記第１の制御情報と前記第２の制御情報に、前記第１の映像信号と前記第２の映像信号のコピー制御情報を追加し、前記第２のコピー制御情報は、前記第２の映像信号が受信側で復号される復号方法に応じて、この第２の映像信号に関するデータの単独のコピーに関して、コピー禁止を示す情報を含む、コンテンツ送信方法。
【請求項１３】
信号処理部とコピー制御情報判定部を備えるコンテンツ受信方法において、
少なくとも第１の映像信号の符号化データと第１の制御情報とを多重した第１のストリームを受け取り、前記第１の映像信号の復号化を行い、
少なくとも前記第１の映像信号のコンテンツの高画質化映像信号である第２の映像信号の符号化データと第２の制御情報とを多重した第２のストリームを受け取り、前記第２の映像信号の復号化処理を行い、
ここで、前記第１の制御情報及び又は前記第２の制御情報には前記第１の映像信号と前記第２の映像信号のコピー制御情報が含まれており、前記コピー制御情報は、少なくとも前記第２の映像信号の復号方法に応じて、前記第２の映像信号のデータの単独のコピーに関して、コピー禁止を示し、
前記コピー禁止が判定された場合、前記第２の映像信号の単独のコピー禁止を実施するコピー禁止を実施する、コンテンツ受信方法。
【発明の詳細な説明】
【技術分野】
【０００１】
本実施形態は、コンテンツ送信装置、コンテンツ受信装置、コンテンツ送信方法、コンテンツ受信方法に関する。
【背景技術】
【０００２】
現行のテレビジョン放送では、映像データの解像度が水平と垂直の画素数が約1440×1080の信号が送信されており、この放送は２Ｋ放送と称される。これに対して、映像データの解像度が、水平および垂直解像度が４倍（画素数3840×2160）の信号を送信する４Ｋ放送、或いは、映像データの解像度が、８倍（画素数7680×4320）の信号を送信する８Ｋ放送の実施が検討されている。
【０００３】
しかし、現行放送を維持しながら４Ｋ放送や８Ｋ放送を導入しようとすると、大容量の放送信号のための周波数帯域の新たな確保が必要となる。また、現行放送事業者が４Ｋ放送及び又は８Ｋ放送のサービスを提供するには、２Ｋ放送のものとは映像解像度や符号化方式が異なる設備を導入する必要がある。このために放送事業者は、設備投資、番組制作・サービス運用コストの負担増加を被る。
【０００４】
一方、負担軽減が可能な方式として、２０１４年７月にＭＰＥＧ（Moving Picture Experts group）で標準化された最新の映像符号化方式標準である、ＨＥＶＣ（High efiiciency Video Coding)規格（ISO/IEC23008-2）第２版の中で拡張規定されたＳＨＶＣ (Scalable High efiiciency Video Coding)方式を利用することが検討されている。
【０００５】
ＳＨＶＣ方式は、階層エンコードの一種である。例えば、基映像信号（高画質映像信号）から生成した基準となる基準映像信号（例えば、基準レイヤ或いは下位レイヤ）と、前記基準映像信号の解像度および／または色空間を拡張し得る付加情報（例えば、拡張レイヤ或いは上位レイヤ）を生成する。この基準映像信号と付加情報が符号化されて伝送される。デコード側は、基準映像信号と付加情報をデコードして、合成することで、高画質映像信号を得ることができる。
【０００６】
ところがＳＨＶＣ方式では、コピープロテクション関連については、具体的な規定がなされていない。また従来から存在するコピープロテクション技術をどのように利用するかということも規定されていない。
【先行技術文献】
【特許文献】
【０００７】
【特許文献１】特開２０１４−６０６２５号公報
【発明の概要】
【発明が解決しようとする課題】
【０００８】
上記したようにＳＨＶＣ方式では、コピープロテクション関連については、規定されていない。また従来から存在するコピープロテクション技術をどのように利用するかということも規定されていない。
【０００９】
そこで本実施形態の課題は、従来から存在するコピープロテクション技術を有効に活用しつつ、コピーコントロール情報が、拡張レイヤ（或いは上位レイヤ）のコンテンツ処理に対しても有効に活用できるようにしたコンテンツ送信装置、コンテンツ受信装置、コンテンツ送信方法、コンテンツ受信方法を提供することを目的とする。
【課題を解決するための手段】
【００１０】
本実施形態に係る送信装置は、
第１の映像信号の符号化データを搬送する第１のストリームを生成する第１の信号生成部と、前記第１の映像信号のコンテンツの高画質化映像信号である第２の映像信号の符号化データを搬送する第２のストリームを生成する第２の信号生成部と、前記第１のストリームに第１の制御情報を多重する第１の多重化部と、前記第２のストリームに第２の制御情報を多重する第２の多重化部とを備える。
【００１１】
そして、コピー制御情報付加部が、前記第１の映像信号と前記第２の映像信号のコピー制御情報を前記第１の制御情報及び又は前記第２の制御情報に追加する、ここで前記コピー制御情報は前記第２の映像信号の復号方法に応じて前記第２の映像信号に関するデータの単独のコピー禁止を設定可能としている。
【図面の簡単な説明】
【００１２】
【図１】図１は、一実施形態が適用された送受信システムの一例を示す概要図である。
【図２】図２は、一実施形態のコンテンツ送信装置の構成例を示すブロック図である。
【図３】図３は、一実施形態が適用されたテレビジョン装置の全体的な構成例を示すブロック図である。
【図４】図４は、一実施形態のコンテンツ受信装置の要部の構成例を示すブロック図である。
【図５】図５は、一実施形態のコンテンツ受信装置において、第１と第２のトランスポートストリームの制御データの相互関係の例を示す説明図である。
【図６】図６は、一実施形態における制御データの記述例を示す説明図である。
【図７】図７は、一実施形態において、ストリームに対してコピー制御情報付加するための構成例と、コピー制御情報を判定するための構成例を示す図である。
【図８】図８は、一実施形態の代表的な動作例を示す説明図である。
【図９】図９は、一実施形態の受信装置５におけるコピー制御情報判定部の動作例を示すフローチャートである。
【発明を実施するための形態】
【００１３】
以下、図面を参照して実施形態の説明をする。  
図１は、一実施形態が適用された送受信システム１の一例を示す概要図である。  
本実施形態において、送受信システム１は、コンテンツ送信装置３と、コンテンツ受信装置５とを含む。送受信システム１において、コンテンツ送信装置３とコンテンツ受信装置５は、サーバ（図示せず）を介して有線及び／又は無線の通信伝送路で接続されてもよい。またコンテンツ送信装置３は、インターネットに接続されてもよい。
【００１４】
コンテンツ送信装置３は、入力される基映像信号に種々の情報（付加データ、制御データ、及びプログラム等）を付帯させて、コンテンツを生成して配信する。基映像信号は、撮像装置、例えば、カメラで撮像される高画質映像信号である。高画質映像信号は、例えば４Ｋ或いは８Ｋの映像信号である。なお映像は、画像と称されてもよい。
【００１５】
コンテンツ送信装置３は、ＳＨＶＣ (Scalable High efiiciency Video Coding)方式をＨＤ（High Definition）放送システムに適用している。
【００１６】
図１に示すように、ＳＨＶＣ方式の放送では、コンテンツ送信装置３は、第１の映像信号の符号化データを搬送する第１のトランスポートストリームと、前記第１の映像信号の高画質信号である第２の映像信号の符号化データを搬送する第２のトランスポートストリームを生成するストリーム生成部４を有する。又第１及び第２のトランスポートストリームには、各種の制御データなどが含まれる。ストリーム生成部４から出力される前記第１及び第２のトランスポートストリームを含む放送信号は、伝送路１０１を介してコンテンツ受信装置５に配信される。図１では１つのコンテンツ受信装置５を示しているが、その他に多数の受信機が存在する。
【００１７】
伝送路１０１は、１つの伝送路に限定されるものではなく、複数の伝送路、中継伝送路、衛星経路の伝送路など各種の伝送路が利用されてもよい。また伝送路としては無線、有線及びこれらの組み合わせが可能である。
【００１８】
上記した第１のトランスポートストリームを生成する系統は、基準レイヤ、第１レイヤ、第１チャンネル或いはメインチャンネルと称されてもよい、また第２のトランスポートストリームを生成する系統は、拡張レイヤ、第２レイヤ、第２チャンネル或いはサブチャンネルと称されても良く、その呼び名は限定されるものでは無い。
【００１９】
コンテンツ受信装置５は、コンテンツ送信装置３から配信される放送信号を受信し、放送信号を復調し、復調信号をデコードし、デコードされた映像信号を表示する。コンテンツ受信装置５は、記録再生装置を含み、例えば復調信号及び又はデコードされた制御データ及び映像信号をコンテンツとして記録メディアに格納することができる。
【００２０】
コンテンツ受信装置５は、例えば、テレビジョン受信機（ＴＶ）、パーソナルコンピュータ（ＰＣ）、ホームサーバ、及びレコーダ等を含むことができる。本実施形態において、コンテンツ受信装置５は、２Ｋ（２Ｋ１Ｋ）、４Ｋ（４Ｋ２Ｋ）、及び／又は、８Ｋ（８Ｋ４Ｋ）対応ＴＶとして説明する。
【００２１】
（送信機）  
図２は、コンテンツ送信装置３に備えられる送信用の信号処理系の一例を示すブロック図である。  
コンテンツ送信装置３は、送信信号処理装置４を備えている。送信信号処理装置４は、送信用の信号処理系である。なお、送信信号処理装置４は、他にもオーディオ（音声）信号及びデータ信号等の処理系も備えているが、簡単化のため図示していない。図２では、２種類の信号線が示されているが、２重線は、コンテンツの信号、例えば、映像信号を含む信号の入出力を示し、実線は、映像信号を含まない、例えば、制御信号及び情報（信号）を含む信号の入出力を示す。
【００２２】
以下、送信信号処理装置４の構成について説明する。  
送信信号処理装置４は、各種の信号を入力するために複数の入力端子１１、１２、１３及び１４を備えている。入力端子１１は、番組情報の信号が入力される。入力端子１２は、スクランブル情報の信号が入力される。入力端子１３は、基映像である高画質映像信号（第１の高画映像信号）、例えば、４Ｋ映像信号が入力される。入力端子１４は、映像関連情報の信号が入力される。映像関連情報は、映像のコントラスト、色帯域、諧調特性、及びフィールドシーケンスフラッグ等のメタデータを生成するときに利用される。  
送信信号処理装置４は、大きく分けると、破線で囲むように、第１の信号生成部４１１と（図上段に示す；第１のストリーム生成部と称しても良い）第２の信号生成部４１２（図の下段に示す；第２のストリーム生成部と称しても良い）を有する。
【００２３】
クロック生成部４１６は、送信信号処理装置４内部の各ブロックが同期するための第１のクロック情報と、映像再生の再生及び表示のタイミングを示す時間情報とを生成する。ここで、時間情報は、例えば、ＰＴＳ（Presentation Time Stamp）、ＤＴＳ（Decoding Time Stamp）、ＳＴＣ（及びＳＣＲ（System Clock Reference））等を生成するために利用される。
【００２４】
ＣＰＵ（第１の制御部）４１７は、送信信号処理装置４の各ブロックを制御する回路である。例えば、ＣＰＵ４１７は、第１の信号生成部４１１と、第２の信号生成部４１２と、デコーダ４１３と、アップコンバータ４１４と、バッファ４１５と、クロック生成部４１６とを制御する。
【００２５】
＜第１の信号生成部４１１＞  
第１の信号生成部４１１は、基準レイヤを構成する信号（基準信号、基準データ又は第１のＴＳ（Transport Stream）信号と称してもよい）を生成する。
【００２６】
第１の信号生成部４１１は、入力端子１１、１２及び１３からそれぞれ番組情報、スクランブル情報、及び高画質映像信号が入力され、基準レイヤのための第１のＴＳを生成する。例えば、第１の信号生成部４１１では、入力される高画質映像信号に対し、ダウンコンバータ２５において、ダウンコンバート処理が実施される。ダウンコンバータ２５は、４Ｋの映像信号を２Ｋの映像信号に変換する。２Ｋの映像信号は、エンコーダ２６に入力する。エンコーダ２６は、入力した映像信号に対して、ＭＰＥＧ（Moving Picture Experts group）−２  Ｖｉｄｅｏ符号化方式を適用する。
【００２７】
これにより、第１の信号生成部４１１は、ＭＰＥＧ−２ Ｖｉｄｅｏ方式による基準映像信号を生成する。なお、第１の信号生成部４１１は、現行のＴＶ放送、例えば、ＨＤ放送に対応できる構成である。例えば、第１の信号生成部４１１は、現行のＴＶ放送の送信機の構成とほぼ同等であってもよい。
【００２８】
第１の信号生成部４１１及び第２の信号生成部４１２において、システム時刻基準値（System Time Clock : STC）は、共通である。
【００２９】
第１の信号生成部４１１は、第１のＰＳＩ（Program Specific Information）／ＳＩ（Service Information）生成部２１と、第１のＥＣＭ（Entitlement Control Message）／ＥＭＭ（Entitlement Management Message）生成部２３と、セクション化部２２、２４と、ダウンコンバータ２５と、エンコーダ２６と、ＰＥＳ(packetized elementary stream)化部２７と、第１のスクランブラ２８と、第１の多重化部３０と、を備えている。
【００３０】
第１のＰＳＩ／ＳＩ生成部２１（選局制御情報生成部と称しても良い）は、入力端子１１から入力される番組情報に対応する番組特定情報（ＰＳＩ）と、サービス情報（ＳＩ）とを生成し、生成したＰＳＩ及びＳＩを出力する。これらの情報は、放送信号を制御するための制御データと称されても良い。
【００３１】
ＰＳＩ（Program Specific Information）は、多様なＴＳパケットの中で、どれが特定の番組を構成するパケットであるかを示す番組特定情報を含む、ＳＩ（Service Information）は、番組配列情報、番組表情報など番組に関する情報を含む。
【００３２】
ＳＩとＰＳＩは、一体として説明することができる。  
ＰＳＩ及びＳＩは、ＴＳで伝送されるコンテンツや、コンテンツに含まれるＥＳ（Elementary Stream）（符号化されたデータ）をデコード（復号（再生））するために参照される情報、及びスクランブルのための情報等を含み、総称すると各種の制御情報である。すなわち、ＰＳＩ及びＳＩは、映像信号、オーディオ（音声）信号及び字幕／文字スーパー情報等を、番組別に相互に関連付け、受信再生時に、選択された番組の構成信号を多重分離し、関連付けられた信号及び情報等の各信号を正しいタイミングで同期再生するために利用される制御情報を含む。
【００３３】
ＰＳＩ及びＳＩは、ＰＡＴ（Progrm Association Table）、ＰＭＴ（Program Map Table）、ＮＩＴ（Network Information Table）、及びＣＡＴ（Conditional Access Table）等を含む。
【００３４】
ＰＡＴは、ストリームに含まれる番組を管理する番組一覧情報を含む。ＰＭＴは、コンテンツ（番組、プログラム）を構成するオーディオ／ビデオ（Ａ／Ｖ）などのデータを管理するために、コンテンツ単位の管理情報を含む。
【００３５】
ＮＩＴは、ネットワーク関連の設定を管理する情報であり、チャンネル番号、変調方式、及びガードインターバル等の送信するネットワークに関連する情報を含む。
【００３６】
ＣＡＴは、有料放送のための管理情報を取得するために利用されるテーブルである。ＣＡＴは、例えば有料放送の関連情報のうち個別情報のＰＩＤを指定することができる。なお、以下で説明の便宜上、ＳＩをＰＳＩの一部としてＰＳＩと表現する場合もある。またＰＳＩ及びＳＩは、次に説明するＥＣＭ、ＥＭＭも含むことができる。
【００３７】
第１のＥＣＭ／ＥＭＭ生成部２３は、番組の共通情報（ＥＣＭ）と、個別情報（ＥＭＭ）とを生成する。
【００３８】
ＥＣＭ（Entitlement Control Message）は、番組に関する情報、この番組の視聴の可否に関する情報、受信機の制御に関する制御情報、スクランブル・キー、などからなる共通情報を含む。ＥＭＭ（Entitlement Management Message）は、加入者毎の契約情報及び共通情報の暗号を解くためのワーク・キーを含む個別情報である。
【００３９】
第１のＥＣＭ／ＥＭＭ生成部２３は、伝送路及び伝送方式に応じて第１のＥＣＭ及び第１のＥＭＭをそれぞれ生成する。第１のＥＣＭ／ＥＭＭ生成部２３は、例えば、ワーク鍵を含む第１のＥＭＭをマスタ鍵で暗号化し、スクランブル鍵を含む第１のＥＣＭをワーク鍵で暗号化する。
【００４０】
セクション化部２２、２４は、夫々、コンテンツの各種信号をセクション化する。ここで、セクションとは、ＴＳで伝送できる形式の１つである。  
ダウンコンバータ２５は、入力される信号の解像度、画面サイズ及び色帯域をダウンコンバートする。例えば、ダウンコンバータ２５は、入力される４Ｋ映像信号の解像度を２Ｋ映像信号の解像度に変換し、４Ｋ映像信号の色帯域を２Ｋ映像信号に適した色帯域へ変換処理する。
【００４１】
エンコーダ２６は、入力される信号の圧縮及び符号化処理を実行する。エンコーダ２６は、例えば、ＭＰＥＧ―２符号化方式のエンコーダである。このとき、エンコーダ２６は、入力される映像信号をＭＰＥＧ―２符号化方式で符号化する。  
ＰＥＳ化部２７は、クロック生成部４１６からの第１のクロック信号に従って、エンコーダ２６からの符号化信号をパケット化し、パケット化した信号に時間情報を付加する。
【００４２】
第１のスクランブラ２８は、入力されるパケット化した信号にスクランブルを実行する。第１のスクランブラ２８は、例えば、パケット化した信号を特定の番組や特定の視聴者向けの番組について、スクランブル鍵でスクランブルする。第１のスクランブラ２８は、例えば、暗号化のアルゴリズムの１つであるＭＵＬＴＩ２で暗号化処理をする。  
第１の多重化部３０は、各種の信号のパケットを多重化してＴＳ（第１のＴＳ）を生成する。伝送路符号化部３１は、ＴＳに対して、伝送路に対応した変調や誤り訂正符号化の処理を実行し、処理されたＴＳを出力端子３２から出力する。
【００４３】
＜第２の信号生成部４１２＞
第２の信号生成部４１２は、メタデータ生成部４１と、ＳＨＶＣエンコーダ（拡張信号生成部と称しても良い）４２と、第２のＰＳＩ／ＳＩ生成部（選局制御情報生成部と称しても良い）５０と、第２のＥＣＭ／ＥＭＭ生成部４７と、セクション化部４６、４８と、ＰＥＳ化部４３と、第２のスクランブラ４４と、第２の多重化部５０と、を備えている。
【００４４】
第２の信号生成部４１２は、入力端子１１、１２、１３、及び１４からそれぞれ番組情報、スクランブル情報、高画質映像信号、及び映像関連情報が入力される。さらにまた、第２の信号生成部４１２では、ＳＨＶＣエンコーダ４４が符号化処理を行う際に、バッファ４１５からの４Ｋの復号映像信号を参照映像信号として利用している。
【００４５】
バッファ４１５からの４Ｋの復号映像信号は、次のように生成されている。第１の信号生成部４１２のエンコーダ２６で符号化された符号化信号がデコーダ４１３で、逆変換（デコード）される。デコーダ４１３は、例えば、ＭＰＥＧ―２デコーダである。このとき、デコーダ４１３は、ＭＰＥＧ―２符号化形式で符号化された信号を復号する。これにより、２Ｋの映像信号がデコーダ４１３から得られる。この２Ｋの映像信号はアップコンバータ４１４でアップコンバートされる。アップコンバートにおいては、インタレースの映像信号がプログレッシブの映像信号に変換される。アップコンバートは、ダウンコンバータ２５の変換処理の逆変換であり、２Ｋの映像信号の解像度、画面サイズ及び色帯域をアップコンバートする。従って、アップコンバータ４１４から４Ｋの復号映像信号が出力される。この復号映像信号が、時間調整のためのバッファ４１５を介して、ＳＨＶＣエンコーダ４２に入力される。
【００４６】
ＳＨＶＣエンコーダ４２は、メタデータ生成部４１からのメタデータも処理することができる。メタデータ生成部４１は、例えば４Ｋの高画質映像信号に関連するメタデータを生成する。メタデータ生成部４１は、入力端子１４に入力される映像関連情報から、コントラスト、色帯域、諧調特性、及びフィールドシーケンスフラッグ等のメタデータを生成する。メタデータは、ビットストリームに埋め込まれて伝送され、映像信号の復号処理（例えばプレ処理、ポスト処理）のための参照データとして扱われる。
【００４７】
上記したように、ＳＨＶＣエンコーダ４２は、ＳＨＶＣ符号化方式（スケーラブル符号化方式）によって高画質映像信号を符号化処理する。このときＳＨＶＣエンコーダ４２は、予測映像の生成に、インター予測（動き補償予測）、イントラ予測（画面内予測）、及びレイヤ間予測（映像間予測）のいずれかを選択的に実行する。
【００４８】
レイヤ間予測では、上記したように基準レイヤからの４Ｋの復号映像信号が参照映像信号として利用される。ＳＨＶＣエンコーダ４２は、これらの予測処理において、ＣＰＵ４１０の指示に従って最適な予測を実行することができる。
【００４９】
このようにＳＨＶＣ符号化方式では、ＨＥＶＣ方式で用いられていた画面間予測と画面内予測に加え、基準レイヤの映像信号から生成された４Ｋの復号映像信号を参照映像信号として用い、入力端子１３からの４Ｋの高画質映像信号を符号化処理する。つまり、ＳＨＶＣ符号化方式は、符号化処理にレイヤ間予測を取り入れている。このために、ＳＨＶＣ符号化方式は、基準レイヤの映像信号から生成された４Ｋの復号映像信号を予測映像の候補として利用することが可能であるため、高画質映像信号を直接圧縮するよりも圧縮効率が良い可能性がある。
【００５０】
ＳＨＶＣエンコーダ４２は、基準レイヤの映像信号から生成された４Ｋの復号映像信号及び高画質映像信号の各々に含まれる同一の映像を同期させ、４Ｋの復号映像信号に含まれる映像（参照映像）を参照し、そして参照映像と高画質映像を用いたレイヤ間映像予測により拡張予測映像信号を生成する。
【００５１】
さらに、ＳＨＶＣエンコーダ４２は、メタデータ生成部４１から取得したメタデータ（コントラスト、色帯域、諧調特性、及びフィールドシーケンスフラッグ等のメタデータ）を拡張予測映像信号に付加する。ＳＨＶＣエンコーダ４２は、生成した拡張映像信号を所定の時間間隔、且つ時系列に配列し、拡張予測映像信号を生成する。
【００５２】
第２のＰＳＩ／ＳＩ生成部４５は、入力される番組情報から伝送路及び伝送方式に応じた番組特定情報（ＰＳＩ）と、サービス情報（ＳＩ）とを生成する。
【００５３】
すなわち、第１の第１の信号生成部４１１における第１のＰＳＩ／ＳＩ生成部２１と、第２の信号生成部４１２における第２のＰＳＩ／ＳＩ生成部４５は、夫々、伝送路及び伝送方式に応じた同一のコンテンツ（又は基映像信号）に対してＰＳＩ／ＳＩを生成している。
【００５４】
しかしＰＳＩ／ＳＩを生成する方法及び伝送方法は、種々の実施形態が可能であるので、後で説明することにする。
【００５５】
第２のＥＣＭ／ＥＭＭ生成部４７は、伝送路及び伝送方式に応じて第２のＥＣＭ及び第２のＥＭＭをそれぞれ生成する。第２のＥＣＭ／ＥＭＭ生成部４７は、例えば、ワーク鍵を含む第２のＥＭＭをマスタ鍵で暗号化し、スクランブル鍵を含む第２のＥＣＭをワーク鍵で暗号化することができる。
【００５６】
セクション化部４６、４８は、夫々、コンテンツの各種信号をセクション化する。セクションとは、ＴＳで伝送できる形式の１つである。  
ＰＥＳ化部４３は、クロック生成部４１６からの第１のクロック信号に従って、ＳＨＣＶエンコーダ４２からの符号化信号をパケット化し、パケット化した信号に時間情報を付加する。
【００５７】
第２のスクランブラ４４は、パケット化した信号に暗号化処理を実行する。第２のスクランブラ４４は、例えば、パケット化した信号を伝送路及び伝送方式に応じてスクランブル鍵で暗号化する。第２のスクランブラ４４は、例えば、ＭＵＬＴＩ２で暗号化処理をする。
【００５８】
第２の多重化部５０は、各種の信号のパケットを多重化してＴＳ（第２のＴＳ）を生成する。伝送路符号化部５７は、ＴＳに対して、伝送路に対応した変調や誤り訂正符号化の処理を実行し、処理されたＴＳを出力端子５８から出力する。
【００５９】
なお、伝送路符号化部３１、５７は、それぞれ第１の信号生成部４１１及び第２の信号生成部４１２に組み込まれていてもよい。
【００６０】
（受信機）  
図３は、コンテンツ受信装置５が適用されたテレビジョン受信装置の一例を示すブロック図である。  
装置は、外部入力端子１０５と、入力部１１１を備える。入力部１１１は、アンテナと接続し、放送事業者が放送用回線及び／又は空間波により供給する放送信号を受信する。また、入力部１１１は、外部入力端子１０５からも信号を取得することができる。従って、入力部１１１は、伝送路及びネットワークを介して供給されるコンテンツ（番組等）を受信することもできる。  
また装置は、信号処理部１１２と、システムコントローラ（システム制御部）１１３と、映像処理部１１４と、表示部１１５と、オーディオ（音声）処理部１１６と、オーディオ出力部１１７と、操作部１１９と、受信部１２０と、通信インターフェース１２１と、ネットワーク制御部１２２と、ＵＳＢ（Universal Serial Bus）インターフェース１２３と、ＨＤＭＩ（High-Definition Multimedia Interface）(登録商標）１２４と、記憶部１２５とを備えている。
【００６１】
外部入力端子１０５は、専用回線、端末機器及び／又は外部機器等と接続するための端子である。
【００６２】
入力部１１１は、放送を受信するアンテナ及び受信信号を選択するチューナ等により構成される。入力部１１１は、複数のチューナ、例えば、放送基準映像信号及び放送拡張映像信号の各々に対応する少なくとも２つのチューナを備えている。入力部１１１は、放送基準映像信号及び放送拡張映像信号を受信し、信号処理部１１２に入力する。
【００６３】
信号処理部１１２は、復元処理部２２１（コンテンツ受信装置と称してもよい）を備えている。信号処理部１１２は、受信した信号に多重化されている番組付帯情報を分離し、分離した番組付帯情報を映像処理部１１４に出力するとともに、記録ストリームをシステムコントローラ１１３に出力することができる。記録ストリームは、信号処理部１１２において復調放送ストリームから分離したストリームである。
【００６４】
信号処理部１１２は、復調放送ストリームから映像信号（ビデオ）（第１のＴＳ及び第２のＴＳ）とオーディオ信号と表示制御情報とに分離する。さらに、信号処理部１１２は、復元処理部２２１によって第１のＴＳ及び第２のＴＳに対する復元処理を実行する。信号処理部１１２は、オーディオ信号をオーディオ処理部１１６に出力する。復元処理部２２１の詳細については後述する。
【００６５】
システムコントローラ（システム制御部）１１３は、コンテンツ受信装置５の各部の動作を制御する。すなわち、システムコントローラ１１３は、入力部１１１、信号処理部１１２、映像処理部１１４、表示部１１５、オーディオ処理部１１６、オーディオ出力部１１７、操作部１１９、受信部１２０、通信インターフェース（Ｉ／Ｆ）１２１、ネットワーク制御部１２２、ＵＳＢインターフェース（Ｉ／Ｆ）１２３、ＨＤＭＩ１２４、及び記憶部１２５等を制御する。システムコントローラ１１３は、後述する信号処理部１１２の復元処理部２２１の各部に接続され、復元処理部２２１の処理を制御する。
【００６６】
システムコントローラ１１３は、受信部１２０が受信するリモコン端末（リモートコントローラ）３０２、キーボード３０６や携帯型端末、例えば、スマートフォン、携帯電話、タブレット、及びノートＰＣ等からの入力信号（操作指示信号）に対応する各種の制御コマンドを出力する。ここで、制御コマンドとは、例えば、テレビ方法（番組）の録画、録画されたコンテンツ（番組）の再生、等を指示するコマンドである。
【００６７】
また、システムコントローラ１１３は、ＣＰＵ１３２と、ＲＯＭ（Read Only Memory）１３４と、ＲＡＭ（Random Access Memory）１３６と、ＮＶＭ(Non-Volatile Memory)１３８とを含む。
【００６８】
ＣＰＵ１３２は、動作を制御するメインプロセッサである。ＣＰＵ１３２は、コンテンツ受信装置５の本体に設けられた操作部１１９からの操作情報、又は、リモートコントローラ３０２から送信され受信部１２０で受信された操作情報を受けることにより、それら操作情報の操作内容が反映されるように各部をそれぞれ制御する。
【００６９】
ＲＯＭ（読取専用メモリ）１３４は、システムコントローラ１１３（ＣＰＵ１３２）が実行する制御プログラムを保持する。ＲＡＭ（ランダムアクセスメモリ（ワークメモリ））１３６は、システムコントローラ１１３（ＣＰＵ１３２）に作業エリアを提供する。ＮＶＭ（不揮発性メモリ）１３８は、コンテンツ受信装置５の各種の設定情報および制御情報等を保持する。また、不揮発性メモリ１３８は、番組表の構築内容情報を保持することもできる。
【００７０】
映像処理部１１４は、信号処理部１１２から取得した第１のＴＳ及び第２のＴＳから抽出した映像信号（第１の表示信号及び／又は第２の表示信号）をデコードし、デコードした映像信号を表示部１１５で表示可能な所定の解像度及び出力方式に変換する。また映像処理部１１４は、システムコントローラ１１３から出力される信号を受けて、ＯＳＤ（On Screen Display）信号を生成する。例えば、映像処理部１１４は、ＯＳＤ信号として統合番組表の表示信号を生成する。映像処理部１１４は、ＯＳＤ信号と変換された映像信号とを合成（多重化）し、ＯＳＤ信号と変換された映像信号との合成映像信号を表示部１１５へ出力することができる。映像処理部１１４は、外部機器として接続される外部モニタ装置あるいは投影装置（プロジェクタ装置）等の出力端に前述の合成映像信号を出力してもよい。
【００７１】
表示部１１５は、映像処理部１１４から合成映像信号を映像として表示する。リモコン端末３０２及びその他の携帯端末等からの操作信号を受信部１２０が受信した際に、表示部１１５は、操作信号に従って映像を表示する。また、ＵＳＢインターフェース１２３を介してキーボード３０６からの操作信号が出力された場合にも、表示部１１５は、キーボード３０６からの操作信号に従って映像を表示することができる。
【００７２】
オーディオ処理部１１６は、信号処理部１１２で分離された番組のオーディオ／音響信号をデコードし、オーディオ出力部１１７に出力する。
【００７３】
操作部１１９は、ユーザによる直接操作に対応する制御コマンドをシステムコントローラ１１３に入力する。受信部１２０は、外部端末、例えば、リモコン端末３０２、及び携帯型端末等からの入力信号に対応する制御コマンドをシステムコントローラ１１３に入力する。通信インターフェース１２１は、例えば、ＷｉＦｉ（Wireless Fidelity）規格等に準拠する近距離無線通信機器との間の無線通信を実現する。なお、近距離無線通信規格としては、例えばＢｌｕｅｔｏｏｔｈ（登録商標）規格やＮＦＣ（Near Field Communication）等も利用可能である。通信インターフェース１２１は、また、有線方式／無線方式のいずれであってもよく、例えば、ワイヤレスキーボードやマウス等との間の信号の送受信が可能な通信ユニット等が接続する。また、通信インターフェース１２１は、例えば、非接触のカード媒体との間の通信が可能なカードリーダー（読取部）３０４等との通信もできる。
【００７４】
ネットワーク制御部１２２は、外部ネットワーク、例えば、インターネット３００へのアクセスを制御する。ネットワーク制御部１２２は、インターネット３００上で情報の送受信を実行する。
【００７５】
ＵＳＢインターフェース１２３は、例えば、ＵＳＢ規格に準拠する外部機器、例えばキーボード３０６等が接続される。ＨＤＭＩ１２４は、ＨＤＭＩ規格またはＭＨＬ（Mobile High-definition Link）規格を利用する複数の機器の間の有線通信を可能にする。
【００７６】
記憶部１２５は、例えば、ＨＤＤ（Hard Disk Drive）であり、コンテンツ受信装置５の各種設定情報及び受信したコンテンツ、表示部１１５に表示される映像等を記録する。なお、記憶部１２５は、外部機器としてＵＳＢインターフェース１２３を介して接続されていてもよい。
【００７７】
次に、図を参照して復元処理部２２１の構成について以下で説明する。  
図４は、ＴＶの信号処理部１１２に備えられる復元処理部２２１（コンテンツ受信装置）の一例を示すブロック図である。復元処理部２２１は、入力部１１１で選局された放送信号に復号処理を施し、映像信号、オーディオ信号、字幕／文字スーパー情報及び番組関連情報をそれぞれ復元する。復元処理部２２１は、他にもオーディオ信号及び各種の情報（信号）等の処理系も備えているが、簡単化のため図示していない。
【００７８】
図４では、２種類の信号線が示されているが、図２と同様に２重線は、コンテンツの信号、例えば、映像信号を含む信号の入出力を示し、実線は、制映像信号を含まない、例えば、制御信号及び情報（信号）を含む信号の入出力を示す。復元処理部２２１は、大きく分けて第１の信号処理部６１１及び第２の信号処理部６１２を含む。第１の信号処理部６１１及び第２の信号処理部６１２の、システム時刻基準値（System Time Clock : STC）は、共通である。
【００７９】
図４において、復元処理部２２１は、入力端子６１、８１を有する。入力端子６１には、図２に示した基準映像信号が入力する。伝送路復号部６２は、図２に示した伝送路符号化部３１の符号化処理と逆の復号化処理を行う。これにより伝送路復号部６２からは図２に示した第１のＴＳが復号された第１の復号ＴＳが出力される。また入力端子８１には、図２に示した拡張映像信号が入力する。伝送路復号部８２は、図２に示した伝送路符号化部５７の符号化処理と逆の復号化処理を行う。これにより伝送路復号部８２からは図２に示した第２のＴＳが復号された第２の復号ＴＳが出力される。
【００８０】
（第１の信号処理部６１１）
伝送路復号部６２から出力された第１の復号ＴＳは、第１の分離部６４に入力する。第１の分離部６４は、設定されたフィルタ条件を満たす信号のみを取り込むＰＩＤフィルタを備える。また第１の分離部６４は、操作信号に応答するＣＰＵ１３２の指示に従ってＰＩＤフィルタの値を設定することができる。第１の分離部６４は、ＰＩＤフィルタで抽出されたパケットからなるＰＥＳを取り出す。
【００８１】
第１の分離部６４から、番組特定情報（ＰＳＩ）と、サービス情報（ＳＩ）などを含むパケットが分離され、ＰＳＩ／ＳＩ処理部６８に入力する。また第１の分離部６４から、映像信号の符号化データを含むＰＥＳが分離され、第１のデスクランブラ６５に入力され、デスクランブルされる。
【００８２】
さらにまた、第１の分離部６４から、ＥＣＭ（番組に関する情報、この番組の視聴の可否に関する情報、受信機の制御に関する制御情報、スクランブル・キー、などからなる共通情報）、及びＥＭＭ（加入者毎の契約情報及び共通情報の暗号を解くためのワーク・キーを含む個別情報）が分離され、第１のＥＣＭ／ＥＭＭ処理部６７に入力する。
【００８３】
上記したＰＳＩ／ＳＩ処理部６８は、システムコントローラ１１３内のＣＰＵ１３２の指示に従って番組特定情報（ＰＳＩ）と、サービス情報（ＳＩ）とを処理し、ＰＳＩ及びＳＩ等に関連する情報（信号）を出力する。ＰＳＩ／ＳＩ処理部６８は、ＰＳＩに含まれるＰＭＴ内に定義された記述子を読み込み、伝送される各種のＥＳを識別することができる。
【００８４】
ＰＳＩ／ＳＩ処理部６８は、識別したＥＳから必要なＥＳを指定することができる。ＰＳＩ／ＳＩ処理部６８は、ＣＰＵ１３２の指示信号に従ってＰＳＩ／ＳＩから選局する映像信号及び表示タイミング等を含む選局手順及び表示可能なコンテンツを規定する選局リスト（選局情報）を生成する。
【００８５】
ここで、選局リストとは、選局対象となる複数の表示信号の選局の手順（タイミング）、及び指示等の選局を制御するための情報である。ＰＳＩ／ＳＩ処理部６８は、第１の分離部６４、及び出力セレクタ９５と信号の送受信をすることができ、選択（選局）された番組に関する処理を決定することができる。
【００８６】
第１のＥＣＭ／ＥＭＭ処理部６７は、第１のＥＣＭ及び第１のＥＭＭを解読して再生し、スクランブルを解くためのデスクランブル情報を再生する。第１のデスクランブラ６５は、第１の復号ＴＳから分離された基準映像信号のＰＥＳを受け取り、再生されたデスクランブル情報を用いて、スクランブルを解く。
【００８７】
第１のスクランブラ６５から出力されたデスクランブルドＰＥＳは、デコーダ６６に入力されてデコードされる。このときデコーダ６６には、第１のスクランブラ６５でＰＳＩ，ＳＩ，ＥＣＭ及びＥＭＭなどにより特定された（選択された）、所定の番組データの収容パケットなどが入力される。
【００８８】
デコーダ６６は、図２のエンコーダ２６のエンコードの逆変換を行うもので、パケット内データをデコードする。デコーダ６６でデコードされた２Ｋの番組信号は、出力セレクタ９５に入力する。また２Ｋの番組信号は、アップコンバータ９２に入力され、４Ｋの番組信号に変換される。この４Ｋの番組信号は、バッファ９３を介して第２の信号処理部６１２のＳＨＶＣデコーダ８６に入力し、ここで参照映像信号として利用される。
【００８９】
（第２の信号処理部６１２）
伝送路復号部８２から出力された第２の復号ＴＳは、第２の分離部８４に入力する。第２の分離部８４は、設定されたフィルタ条件を満たす信号のみを取り込むＰＩＤフィルタを備える。また第２の分離部８９は、操作信号に応答するＣＰＵ１３２の指示に従ってＰＩＤフィルタの値を設定することができる。第２の分離部８９は、ＰＩＤフィルタで抽出されたパケットからなるＰＥＳを取り出す。
【００９０】
第２の分離部８９から、番組特定情報（ＰＳＩ）と、サービス情報（ＳＩ）などを含むパケットが分離され、ＰＳＩ／ＳＩ処理部９０に入力する。また第２の分離部８４から、映像信号の符号化データを含むＰＥＳが分離され、第２のデスクランブラ８５に入力され、デスクランブルされる。
【００９１】
さらにまた、第１の分離部６４から、ＥＣＭ（番組に関する情報、この番組の視聴の可否に関する情報、受信機の制御に関する制御情報、スクランブル・キー、などからなる共通情報）、及びＥＭＭ（加入者毎の契約情報及び共通情報の暗号を解くためのワーク・キーを含む個別情報）が分離され、第２のＥＣＭ／ＥＭＭ処理部８９に入力する。
【００９２】
ＰＳＩ／ＳＩ処理部８９は、システムコントローラ１１３内のＣＰＵ１３２の指示に従って番組特定情報（ＰＳＩ）と、サービス情報（ＳＩ）とを処理し、ＰＳＩ及びＳＩ等に関連する情報（信号）を出力する。ＰＳＩ／ＳＩ処理部８９は、ＰＳＩに含まれるＰＭＴ内に定義された記述子を読み込み、伝送される各種のＥＳを識別することができる。
【００９３】
ＰＳＩ／ＳＩ処理部８９は、識別したＥＳから必要なＥＳを指定することができる。ＰＳＩ／ＳＩ処理部８９は、ＣＰＵ１３２の指示信号に従ってＰＳＩ／ＳＩから選局する映像信号及び表示タイミング等を含む選局手順及び表示可能なコンテンツを規定する選局リスト（選局情報）を生成する。
【００９４】
ここで、選局リストとは、選局対象となる複数の表示信号の選局の手順（タイミング）、及び指示等の選局を制御するための情報である。ＰＳＩ／ＳＩ処理部８９は、第２の分離部８４、及び出力セレクタ９５と信号の送受信をすることができ、選択（選局）された番組に関する処理を決定することができる。
【００９５】
第２のＥＣＭ／ＥＭＭ処理部８９は、第２のＥＣＭ及び第２のＥＭＭを解読して再生し、スクランブルを解くためのデスクランブル情報を再生する。第２のデスクランブラ８５は、第２の復号ＴＳから分離された拡張映像信号のＰＥＳを受け取り、再生されたデスクランブル情報を用いて、スクランブルを解く。
【００９６】
第２のスクランブラ８５から出力されたデスクランブルドＰＥＳは、デコーダ８６に入力されてデコードされる。このときデコーダ８６には、第２のスクランブラ８５でＰＳＩ，ＳＩ，ＥＣＭ及びＥＭＭなどにより特定された（選択された）、所定の番組データの収容パケットなどが入力される。
【００９７】
ＳＨＶＣデコーダ８６は、図２のＳＨＶＣエンコーダ４２のエンコードの逆変換を行うもので、パケット内データをデコードする。ＳＨＶＣデコーダ８６は、デコーダ６６でデコードされた復号データを有効に利用することができる。デコーダ６６の出力（２Ｋの映像信号）は、アップコンバータ９２でアップコンバートされ、ＩＰ変換され、４Ｋの映像信号となる。そしてこの４Ｋの映像信号は、バッファ９３で時間調整されて、ＳＨＶＣデコーダ８６に、参照映像信号として入力される。
【００９８】
ＳＨＶＣデコーダ６６は、参照映像信号を利用し、入力する符号化データをデコードし４Ｋの映像信号を再生する。再生された４Ｋの映像信号は、高画質化処理部８７に入力される。またＳＨＶＣデコーダ８６で得られるメタデータは、メタデータ処理部９２に入力される。メタデータ処理部９２は、メタデータから高画質化するためのコントラスト、色帯域、及び諧調特性等のグレーディングするためのグレーディング情報を生成し、生成したグレーティング情報を出力する。メタデータ処理部９２は、高画質映像、例えば、４Ｋの映像信号に関連するグレーティング情報を生成する。
【００９９】
高画質化処理部８７は、グレーティング情報に従って入力される映像信号をグレーティングすることによって高画質化する。高画質化処理部８７は、例えば、明るさ、コントラスト、色帯域、及びフィルタ効果の付与等、高画質な雰囲気の映像にするための種々の映像処理を実行する。
【０１００】
ここで、第１の信号処理部６１１と第２の信号処理部６１２で選択され、処理される映像信号は、互いにレイヤが異なりビットレート、解像度などが異なるが同一番組の映像信号である。
【０１０１】
上記したように第２の分離部８４及び先の第１の多重化処理分離部８４は、同様な動作を行い、それぞれが第１の復号ＴＳと第２の復号ＴＳとから第１及び２のＥＣＭ、第１及び第２のＥＭＭを分離して、必要な情報を取得している。
【０１０２】
なおクロック再生制御部９４は、復号のタイミングを同期するための第２のクロック情報を生成し、第２の分離部８４から取得した時間情報を出力する。また、クロック再生制御部９４は、ＳＴＣが共通であるため、ＰＣＲ(Program Clock Reference)に基づいてデコーダ６６及びＳＨＶＣデコーダ８６を同期制御することができる。
【０１０３】
図５は、第１のＴＳと第２のＴＳで伝送される各種の参照情報及び制御情報の関連性を示している。ＰＳＩ／ＳＩ処理部６８と９０及び又はＣＰＵ１３２は、それぞれＰＳＩ／ＳＩに含まれる選局制御情報が記述されたＰＭＴを読み込む。
【０１０４】
これにより、ＰＳＩ／ＳＩ処理部６８と９０及び又はＣＰＵ１３２は、ＰＭＴ内に記述されているデジタルコピー制御記述子を判断することが可能である。
【０１０５】
例えば、ＰＳＩ／ＳＩ処理部は、ＴＳに含まれるＰＭＴ（Service x）を参照することによって、ＴＳに含まれるＥＳ、例えば、２ＫのＭＰＥＧ−２形式の映像、５．１ＣｈのＭＰＥＧ−２形式の音楽、及び、字幕１等を識別することができる。
【０１０６】
ＰＭＴの送信方法及び受信方法、並びに利用方法は、各種の実施形態が可能である。  
（１）例えば、ＰＭＴは、第１のＴＳと第２のＴＳのそれぞれに同じ内容で含まれており、受信装置では、第１の信号処理部６１１と第２の信号処理部６１２とが、それぞれのＰＭＴを利用することができる。
【０１０７】
（２）他の実施形態では、ＰＭＴは、第１のＴＳと第２のＴＳの何れか一方で送信され、受信装置では、第１の信号処理部６１１或いは第２の信号処理部６１２は、送信されてきたＰＭＴを利用することができる。
【０１０８】
（３）また他の実施形態では、ＰＭＴは、第１のＴＳと第２のＴＳのそれぞれに同じ内容が含まれており、受信装置では、第１の信号処理部６１１と第２の信号処理部６１２とは、何れか一方のＴＳに含まれているＰＭＴを利用する。片方のＰＭＴがエラーのために破綻していた場合、第１の信号処理部６１１或いは第２の信号処理部６１２は、他方のＰＭＴを利用できる。
【０１０９】
（４）さらに他の実施形態では、ＰＭＴは、現在の規格のものが第１のＴＳで送信され、第２のＴＳでは、補足情報を含むＰＴＭが送信されてもよい。受信装置では、第１の信号処理部６１１においては、第１のＴＳから抽出したＰＭＴを利用する。一方、第２の信号処理部６１２は、第２のＴＳから抽出した補足情報を含むＰＭＴを利用するか、又はこの補足情報を含むＰＭＴと第１の信号処理部で抽出されたＰＭＴとを合体して利用してもよい。
【０１１０】
なお、信号処理部は、ＰＭＴを参照することによって、ＴＳに含まれるＥＳ、例えば、２ＫのＭＰＥＧ−２形式の映像、５．１ＣｈのＭＰＥＧ−２形式の音楽、及び、字幕１等を参照することができる。
【０１１１】
図６は、デジタルコピー制御記述子の一例を示すもので、新規追加部New が設置されている。例えば、第２のＴＳ側の拡張映像信号（第２の映像信号）に関連するコピー制御情報「Multi_cmponent_control」の記述領域が確保されている。ここでは、例えば数ビットが確保されている。そして、第２のＴＳ側の拡張映像信号のみが単独でコピーされるのは、コピー禁止であることが記述され、また、第１のＴＳ側の映像信号が参照映像信号として利用され４Ｋの映像信号が再生された場合は、コピー１回が可能である旨のコードが記述されている。その他の記述は、例えばデジタル放送に使用する番組配列情報に開示されている内容であり、標準規格の内容である。
【０１１２】
なおこの例において、拡張映像信号に対するコピー制御情報は、一例であって、記述場所、記述名称、ビット数などは、図に示した形態に限定されるものではない。
【０１１３】
図７は、上記した送受信システムにおいて、ストリームに対してコピー制御情報付加するための構成例と、コピー制御情報を判定するための構成例を示している。図１〜図４において、共通するブロックには同一符号を付している。
【０１１４】
第１の信号生成部（ストリーム生成部）４１１は、第１の映像信号（２Ｋの映像信号）の符号化データを搬送する第１のストリームを生成する。第２の信号生成部（ストリーム生成部）４１２は、前記第１の映像信号のコンテンツの高画質化映像信号である第２の映像信号（４Ｋの映像信号）の符号化データを搬送する第２のストリームを生成する。
【０１１５】
第１の多重化部３０は、前記第１のストリームに第１の制御情報を多重する。第２の多重化部５０は、前記第２のストリームに第２の制御情報を多重する。コピー制御情報付加部７１１及び７１２は、前記第１の映像信号と前記第２の映像信号のコピー回数に関するコピー制御情報を前記第１の制御情報及び又は前記第２の制御情報に追加する。
【０１１６】
図７には、コピー制御情報付加部７１１及び７１２が示されているが、何れか一方が共用されてもよい。
【０１１７】
ここで前記第１及び又は２のコピー情報付加部７１１、７１２から出力されるコピー制御情報は、第２の映像信号の符号化データもしくはその復号化データの単独のコピーに関して、コピー０乃至２の何れかを示している。或いはコピー禁止だけを示してもよい。また、コピー制御情報は、第１の映像信号の符号化データを復号し、アップコンバートされた参照映像信号（４Ｋの参照映像信号）が、第２の映像信号の符号化データを復号するときに利用され、４Ｋの映像信号が復号された場合は、コピー回数１を規定している。
【０１１８】
さらにまた、コピー制御情報は、第１の映像信号の符号化データを復号した２Ｋ映像信号に関しては、１０回のコピーを許可している。
【０１１９】
コピー制御情報を伝送するための他の実施形態として、前記第２の映像信号に関するコピー制御情報は、前記第１の制御情報と前記第２の制御情報の両方に含まれていてもよい。更に他の実施形態として、前記第２の映像信号に関する前記コピー制御情報は、前記第１の制御情報と前記第２の制御情報の何れか一方に含まれていてもよい。
【０１２０】
上記の実施形態では、第２の映像信号の符号化に際して、前記第１の映像信号の符号化データが復号され、復号化データがアップコンバートされ、アップコンバートされた映像信号が参照映像信号として用いられている。しかしこの実施形態に限らず、第１の映像信号及び第２の映像信号は、それぞれ独立して符号化されるシステムであってもよい。
【０１２１】
受信側において、分離部６４は、映像信号の符号化データを搬送するパケット（映像信号ストリーム）、オーディオ信号の圧縮データを搬送するパケット（オーディオ信号ストリーム）、制御情報を搬送するパケット（制御情報ストリーム）などを分離する。
【０１２２】
制御情報の中でもコピー制御情報は、第１のコピー制御情報判定部８１１及び又は第２のコピー制御情報判定部８１１２において判定される。
【０１２３】
２Ｋの第１の映像信号（基準映像信号）に関しては、例えばコピー回数１０回を許可するコピー制御情報であり、基準映像信号を利用しない第２の映像信号の単独のコピーに関しては、例えばコピー禁止を示すコピー制御情報である。そして、基準映像信号をアップコンバートして利用した４Ｋの第２の映像信号のコピーに関しては、１回のコピーを許可するコピー制御情報である。
【０１２４】
出力セレクタ９５は、スイッチＵＳＷ及びスイッチＲＳＷを有する。スイッチＵＳＷ，ＲＳＷは、操作情報に基づいて動作するＣＰＵ１３２からの制御信号に基づいて制御される。出力セレクタ９５は、第１の信号処理部６１１で再生された２Ｋの第１の映像信号、第２の信号処理部６１２で再生された４Ｋの第２の映像信号を受け付ける。
【０１２５】
第１の映像信号と第２の映像信号のいずれかが、スイッチＵＳＷにより選択されて、表示器に供給されることができる。
【０１２６】
また第１の映像信号と第２の映像信号のいずれかが、スイッチＲＳＷにより選択されて、記録再生装置９１１に供給されることができる。記録再生装置９１１は、記録媒体を有する。記録媒体は、ハードディスク装置９１２及び又は半導体メモリ装置９１３である。
【０１２７】
第１の映像信号が、スイッチＲＳＷにより選択されて、記録再生装置９１１に供給される場合は、コピー回数１０のコピー制御情報が管理データとして追加される。第２のスイッチＲＳＷにより選択されて、記録再生装置９１１に供給される場合は、例えばコピー禁止のコピー制御情報が管理データとして追加される。したがって、記録再生装置９１１により、記録媒体に記録されたコンテンツは、以後は再生のみであり、他の記録媒体にダビングされることはない。
【０１２８】
なおコピー制御情報判定部８１１及び又は８１２は、第２の映像信号のパケットストリームの符号化データが復号されることなく単独でコピーされるのは、自動的に禁止するように設定されている。
【０１２９】
なお第１の映像信号の送受信経路は２Ｋ放送を送受信する従来と同様な方法で構成した場合、従来の送受信システムと共存できるために、放送設備も有効に利用され、従来のテレビ装置の有効に利用できることになる。
【０１３０】
図８は、一実施形態の代表的な動作例を示す説明図である。第１のＴＳと第２のＴＳを伝送する伝送路は、電波経路に限定されるものではなく、インターネットプロトコル（ＩＰ）の経路、ＭＭＳなどのネットワークの経路、衛星通信の経路、及びこれらの組み合わせ経路であってもよい。
【０１３１】
受信装置５においては、２Ｋの第１の映像信号のみの記録指令を受けた場合、ダビング１０ルールが採用される。記録指令は、ユーザ操作指令、或いは番組予約、タイムシフト録画機能による自動録画指令がある。ダビングテン（１０）ルールでは、受信装置５は、記録再生装置９１１の管理情報に対して、残りダビング回数９回を記述して、第１の映像信号の記録を許可する。この制御は、例えば第１のコピー制御情報判定部８１１が実行する。ダビングテン（１０）ルールが適用された場合、２Ｋの映像信号が記録再生装置９１１の記録媒体に記録されるが、さらにこの記録媒体の信号を他の記録媒体へコピーする場合は、残りのコピー回数は９回である。
【０１３２】
受信装置５において、第２の映像信号のみの単独、或いは第２の映像信号を復号する前符号化データのみ単独に対する記録指令があった場合、コピー禁止ルールが採用される。コピー禁止ルールは、コピー不可能であることから、記録再生装置９１１への出力が禁止され、表示器に対して警告がなされる。この制御は、例えば第２のコピー制御情報判定部８１２が実行する。
【０１３３】
受信装置５において、第１の映像信号を利用して再生された第２の映像信号（４Ｋ）に対する記録指令を受けた場合、コピーワンス（１回のコピーを許可する）ルールが採用される。このコピーワンスのルールが採用された場合、４Ｋの映像信号が記録再生装置９１１の記録媒体に記録されるが、さらにこの記録媒体の信号を他の記録媒体へコピーすることはできない。
【０１３４】
図９は、上記したルールを適用する受信装置５におけるコピー制御情報判定部の動作を示すフローチャートの一例である。受信チャンネル及び再生する番組が確定したら（ステップＳＡ１）、プログラムマップテーブル（ＰＭＴ）のコピー制御情報記述子を取り出して、その記述内容を判定する。判定は、例えば第１と第２のコピー制御情報判定部８１１、８１２がそれぞれ独自に第１と第２のコピー制御情報を判定する（ステップＳＡ２）。
【０１３５】
今、コピー指令が、第２の映像信号の単独、若しくはその符号化データに対する指令であった場合、第２のコピー制御情報判定部８１２は、コピー禁止する。このとき第２のコピー制御情報判定部８１２は、表示部へコピー禁止の警告を出力してもよい（ステップＳＡ３，ＳＡ４）。
【０１３６】
今、コピー指令が、第１の映像信号を参照信号として利用して再生した第２の映像信号に対するコピー指令であったとする。この場合は、第２のコピー制御情報判定部８１２は、記録媒体の管理情報に対してコピー１回を設定する（ステップＳＡ５，ＳＡ６）。
【０１３７】
今、コピー指令が、第１の映像信号に対するコピー指令であったとする。この場合は、第１のコピー制御情報判定部８１１は、記録媒体の管理情報に対してコピー１０を設定する（ステップＳＡ７，ＳＡ８）。
【０１３８】
上記の説明ではコピー制御情報について説明したが、他の制御情報、例えばパレンタル制御情報など、ＥＣＭ・ＥＭＭなどの制御情報、についても同様な方法を利用することができる。
【０１３９】
上記した実施形態をまとめる。  
（１）本実施形態におけるコンテンツ送信装置は、  
第１の映像信号の符号化データを搬送する第１のストリームを生成する第１の信号生成部と、  
前記第１の映像信号のコンテンツの高画質化映像信号である第２の映像信号の符号化データを搬送する第２のストリームを生成する第２の信号生成部と、  
前記第１のストリームに第１の制御情報を多重する第１の多重化部と、  
前記第２のストリームに第２の制御情報を多重する第２の多重化部と、  
前記第１の映像信号と前記第２の映像信号のコピー制御情報を前記第１の制御情報及び又は前記第２の制御情報に追加するコピー制御情報付加部とを備える、ここで前記コピー制御情報は前記第２の映像信号の復号方法に応じて前記第２の映像信号に関するデータの単独のコピー禁止を設定可能としている、  
復号方法としては、前記第２の映像信号が、前記第１の映像信号をベースとした参照映像信号を利用しないでデコードされる場合がある。また  
前記第２の映像信号が、前記第１の映像信号の符号化データを復号してアップコンバートした映像信号を参照映像信号として利用してデコードされる場合がある。  さらには、前記第２の映像信号が復号されることなく符号化データの状態で処理される場合もある。
【０１４０】
（２）前記コピー制御情報は、少なくとも前記第２の映像信号の単独のコピーに関して、コピー禁止或いは１乃至２の何れかを示すことができる。  
（３）前記コピー制御情報は、前記第２の映像信号の符号化データの単独のコピーに関して、コピー禁止或いは１乃至２の何れかを示すことができる。  
（４）前記コピー制御情報は、前記第１の制御情報と前記第２の制御情報の両方に含まれていてもよい。  
（５）前記コピー制御情報は、前記第１の制御情報と前記第２の制御情報の何れか一方に含まれていてもよい。  
（６）本発明は、さらにコンテンツ送信方法、コンテンツ受信方法、コンテンツ処理プログラムとして適用できることは勿論である。さらに、またコンテンツ処理プログラムを格納したコンピュータ読み取り可能な記録媒体としても利用できることは勿論である。
【０１４１】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
【符号の説明】
【０１４２】
３・・・コンテンツ送信装置、４・・・ストリーム生成部、５・・・コンテンツ受信装置、２１・・・第１のＰＳＩ／ＳＩ生成部、２２・・・セクション化部、２３・・・第１のＥＣＭ／ＥＭＭ処理部、２４・・・セクション化部、２５・・・ダウンコンバータ、２６・・・エンコーダ、２７・・・ＰＥＳ化部、２８・・・第１のスクランブラ、３０・・・第１の多重化部、４１・・・メタデータ生成部、４２・・・ＳＨＶＣエンコーダ、４３・・・ＰＥＳ化部、４４・・・第２のスクランブラ、４５・・・第２のＰＳＩ／ＳＩ生成部、４６・・・セクション化部、４７・・・第２のＥＣＭ／ＥＭＭ処理部、４８・・・セクション化部、
５０・・・第２の多重化部、４１１・・・第１の信号生成部、４１２・・・第２の信号生成部、４１３・・・デコーダ、４１４・・・アップコンバータ、４１５・・・バッファ、１１３・・・システムコントローラ、１３２・・・ＣＰＵ、２２１・・・復元処理部、６４・・・第１の分離部、６５・・・第１のデスクランブラ、６６・・・デコーダ、６７・・・第１のＥＣＭ／ＥＭＭ処理部、６８、９０・・・ＰＳＩ／ＳＩ処理部、８４・・第２の分離部、８５・・・第２のデスクランブラ、８９・・・第２のＥＣＭ／ＥＭＭ処理部、８６・・・ＳＨＶＣデコーダ、９２・・・アップコンバータ、９３・・・バッファ、９５・・・出力セレクタ、７１１・・・第１のコピー制御情報付加部、７１２・・・第２のコピー制御情報付加部、８１１・・・第１のコピー制御情報判定部、８２２・・・第２のコピー制御情報判定部、９１１・・・記録再生装置。
【図１】
0006279463.tif 000002
【図２】
0006279463.tif 000003
【図３】
0006279463.tif 000004
【図４】
0006279463.tif 000005
【図５】
0006279463.tif 000006
【図６】
0006279463.tif 000007
【図７】
0006279463.tif 000008
【図８】
0006279463.tif 000009
【図９】
0006279463.tif 000010